(57)【要約】  本発明は、車両の二次ユニットを駆動するための駆動車における振動を減衰する装置であって、ボスに支承された駆動車に減衰装置が設けられており、ボスが二次ユニットの駆動軸と結合されており、減衰装置として、摩擦クラッチと組み合わせられたトーション振動ダンパが設けられており、摩擦クラッチがボス側における少なくとも１つの第１の摩擦面と、摩擦リング側における少なくとも１つの第２の摩擦面とを有していて、これにより駆動車がトーション振動ダンパのダンパケージを介してボスと摩擦力結合式及び／又は形状結合式に連結されていて、その結果駆動車からダンパケージを介してボスへの振動減衰されたトルク伝達が行われる形式のものに関する。このような形式の装置において本発明の構成では、第２の摩擦面が皿ばねと支持円板との間に設けられており、皿ばねがダンパケージと結合され、かつ支持円板がボスと結合されている。さらに、組み合わせられた複数のトーション振動ダンパを備えた装置が提案される。さらに、高い始動モーメントを伝達するために装置は固定ストッパを備えていてもよい。さらにまた、装置に付加的に摩擦減衰装置が設けられている構成も提案される。【特許請求の範囲】
【請求項１】
車両の二次ユニットを駆動するための駆動車における振動を減衰する装置であって、ボス（１）に支承された駆動車に減衰装置が設けられており、ボス（１）が二次ユニットの駆動軸（１２）と結合されており、減衰装置として、摩擦クラッチと組み合わせられたトーション振動ダンパが設けられており、摩擦クラッチがボス側における少なくとも１つの第１の摩擦面（Ａ１）と、摩擦リング側における少なくとも１つの第２の摩擦面（Ａ２）とを有していて、これにより駆動車がトーション振動ダンパのダンパケージ（４）を介してボス（１）と摩擦力結合式及び／又は形状結合式に連結されていて、その結果駆動車からダンパケージ（４）を介してボス（１）への振動減衰されたトルク伝達が行われる形式のものにおいて、第２の摩擦面（Ａ２）が皿ばね（６）と支持円板（７）との間に設けられており、皿ばね（６）がダンパケージ（４）と結合され、かつ支持円板（７）がボス（１）と結合されていることを特徴とする、車両の二次ユニットを駆動するための駆動車における振動を減衰する装置。
【請求項２】
皿ばね（２６）及び支持円板（７）が、高い熱伝導率を有する材料から製造されている、請求項１記載の装置。
【請求項３】
皿ばね（６）が、ダンパケージ（４）の内径部に設けられていて軸方向に突出している突子を介して回動不能に保持されている、請求項１又は２記載の装置。
【請求項４】
支持円板（７）が、かしめ又は歯列を用いてボス（１）と回動不能に結合されている、請求項１から３までのいずれか１項記載の装置。
【請求項５】
ダンパケージ（４）が駆動車と一緒に、円弧ばねダンパとして形成されたトーション振動ダンパの円弧ばね（３）のための受容領域を形成している、請求項１から４までのいずれか１項記載の装置。
【請求項６】
円弧ばねダンパの円弧ばね（３）の回転角（α）が、対応するストッパ（Ｃ）によって制限されている、請求項５記載の装置。
【請求項７】
対応するストッパ（Ｃ）がベルト車（２）とダンパケージ（４）との間に設けられている、請求項６記載の装置。
【請求項８】
摩擦リング（５）が支持円板（７）によって軸方向固定されている、請求項１から７までのいずれか１項記載の装置。
【請求項９】
車両の二次ユニットを駆動するための駆動車における振動を減衰する装置であって、ボス（１）に支承された駆動車に減衰装置が設けられており、ボス（１）が二次ユニットの駆動軸（１２）と結合されており、減衰装置が、摩擦クラッチと組み合わせられており、その結果駆動車からボス（１）への振動減衰されたトルク伝達が行われる、特に請求項１から８までのいずれか１項記載の形式のものにおいて、減衰装置が、駆動車（２）とボス（１）との間におけるトルク伝達時に所定の減衰能力を得るために複数のトーション振動ダンパを有していることを特徴とする、車両の二次ユニットを駆動するための駆動車における振動を減衰する装置。
【請求項１０】
少なくとも２つのトーション振動ダンパが、駆動車（２）とボス（１）との間において直列に配置されている、請求項９記載の装置。
【請求項１１】
少なくとも２つのトーション振動ダンパが、駆動車（２）とボス（１）との間において並列に配置されている、請求項９又は１０記載の装置。
【請求項１２】
トーション振動ダンパとして円弧ばねダンパが直列配置されている場合に、軸方向において相前後して配置された少なくとも２つのダンパケージ（４，１０）が設けられている、請求項１０又は１１記載の装置。
【請求項１３】
ダンパケージ（４，１０）が駆動車と一緒に、各円弧ばね（３ａ，３ｂ）のための受容領域を形成している、請求項１２記載の装置。
【請求項１４】
各円弧ばねダンパの円弧ばね（３ａ，３ｂ）の回転角（α）が、対応するストッパ（Ｃ１，Ｃ２）によって制限されている、請求項１２又は１３記載の装置。
【請求項１５】
対応するストッパ（Ｃ１）がベルト車（２）とダンパケージ（１０）との間に設けられており、対応するストッパ（Ｃ２）がダンパケージ（１０）とダンパケージ（４）との間に設けられている、請求項１４記載の装置。
【請求項１６】
少なくともダンパケージ（４）が摩擦面（Ａ１，Ａ２）を用いて、駆動車の少なくとも１つの回転方向において作用する摩擦クラッチエレメントとして、トルク伝達時における振動共振を吸収するために形成されている、請求項１から１５までのいずれか１項記載の装置。
【請求項１７】
ダンパケージ（４）が軸方向で第１の摩擦面（Ａ１）を介して、摩擦力結合式のトルク伝達のためにボス（１）に圧着可能である、請求項１６記載の装置。
【請求項１８】
摩擦面（Ａ１）が、摩擦力結合式のトルク伝達のために円錐面として形成されている、請求項１から１６までのいずれか１項記載の装置。
【請求項１９】
軸方向のシールエレメントとして、カバーキャップ（９）が設けられている、請求項１から１８までのいずれか１項記載の装置。
【請求項２０】
車両の二次ユニットを駆動するための駆動車における振動を減衰する装置であって、ボス（１）に支承された駆動車に減衰装置が設けられており、ボス（１）が二次ユニットの駆動軸（１２）と結合されており、減衰装置がトーション振動ダンパを有しており、その結果駆動車からボス（１）への振動減衰されたトルク伝達が行われる、特に請求項１から１９までのいずれか１項記載の形式のものにおいて、駆動車とボス（１）とにそれぞれ対応する固定ストッパ（Ｃ３）が、高い始動モーメントを伝達するために設けられていることを特徴とする、車両の二次ユニットを駆動するための駆動車における振動を減衰する装置。
【請求項２１】
ベルト車として形成された駆動車が、第１のダンパケージ半部（４ａ）を有していて、該第１のダンパケージ半部（４ａ）が第２のダンパケージ半部（４ｂ）と共に、円弧ばねダンパとして形成されたトーション振動ダンパの円弧ばね（３）用の受容室を形成している、請求項２０記載の装置。
【請求項２２】
第１のダンパケージ半部（４ａ）がベルト車にプレス嵌めされている、請求項２１記載の装置。
【請求項２３】
第１のダンパケージ半部（４ａ）がその外径部に複数の一体成形部（Ｅ）を有しており、これらの一体成形部（Ｅ）が、ベルト車（２）の固定ストッパ（Ｃ３）の間における切欠きに形状結合式に係合している、請求項２１又は２２記載の装置。
【請求項２４】
第２のダンパケージ半部（４ｂ）が中間歯列（Ｆ）を介してボス（１）と回動不能に連結されている、請求項２０〜２３までのいずれか１項記載の装置。
【請求項２５】
軸方向で見て第１のダンパケージ半部（４ａ）と第２のダンパケージ半部（４ｂ）との間に、スペーサ円板（１１）が設けられている、請求項２０〜２４までのいずれか１項記載の装置。
【請求項２６】
カバーキャップ（９ａ，９ｂ）が軸方向におけるシールのために設けられている、請求項２０〜２５までのいずれか１項記載の装置。
【請求項２７】
少なくとも１つの摩擦減衰装置が設けられている、請求項２０〜２６までのいずれか１項記載の装置。
【請求項２８】
摩擦減衰装置が皿ばね（６）であり、該皿ばね（６）のばね力が支持円板（７）及び第２のダンパケージ半部（４ｂ）に作用する、請求項２７記載の装置。
【請求項２９】
摩擦減衰装置が、ベルト車（２）とボス（１）との間における摩擦減衰のために少なくとも２つの摩擦面（Ｄ１，Ｄ２）を有している、請求項２７又は２８記載の装置。
【請求項３０】
第１の摩擦面（Ｄ１）が第１のダンパケージ半部（４ａ）とボス（１）との間に形成されている、請求項２９記載の装置。
【請求項３１】
第２の摩擦面（Ｄ２）がスペーサ円板（１１）と、両ダンパケージ半部（４ａ，４ｂ）のうちの少なくとも１つとの間に設けられている、請求項２９又は３０記載の装置。
【請求項３２】
トーション振動ダンパが、潤滑剤なしに働く円弧ばねダンパとして形成されている、請求項１〜３１までのいずれか１項記載の装置。
【請求項３３】
ベルト車（２）として形成された駆動車が滑り軸受（Ｂ３）又はころがり軸受を介して、ボス（１）に回転可能に支承されている、請求項１〜３２までのいずれか１項記載の装置。
【請求項３４】
ベルト車（２）及び／又はダンパケージ半部（４，４ａ，４ｂ）がトーション振動ダンパのばねガイドエレメントとして、繊維補強されたプラスチックから製造されている、請求項１〜３３までのいずれか１項記載の装置。
【請求項３５】
繊維補強されたプラスチックが乾燥潤滑剤を有している、請求項３４記載の装置。
【請求項３６】
シールエレメントとして間隙パッキン又はラビリンスパッキンが、ストッパ（Ｃ，Ｃ１，Ｃ２，Ｃ３）の領域に設けられている、請求項１〜３５までのいずれか１項記載の装置。
【請求項３７】
支持円板（７）及び／又は固定リング（８）が軸方向固定のために設けられている、請求項１〜３６までのいずれか１項記載の装置。
【発明の詳細な説明】
【技術分野】
【０００１】
本発明は、車両の二次ユニットを駆動するための駆動車における振動を減衰する装置であって、ボスに支承された駆動車に減衰装置が設けられている形式のものに関する。
【０００２】
ＤＥ１９５３５８８９Ａ１に基づいて、巻掛け伝動装置における振動を減衰する装置が公知である。巻掛け伝動装置は、内燃機関のユニットベルト駆動装置のために設けられており、この場合ベルト車と軸との間に配置されたオーバランニングクラッチが設けられている。公知のオーバランニングユニットは、特にジェネレータを駆動するために適している。オーバランニングユニットは、ジェネレータを駆動するために働くベルト車の構成部分である。オーバランニングユニットの使用によって、自己緩衝もしくは自己減衰（Eigendaempfung）が可能であり、その結果巻掛け伝動装置のトルク伝達が改善される。
【０００３】
ＥＰ０９８０４７９Ｂ１に基づいて、ジェネレータ結合オーバランニングクラッチを備えたベルト駆動系が公知である。この駆動系はトーションコイルばねと一方向連結機構とを形成しており、その結果得られた機構は螺旋状の巻条の形でダブルの機能を有している。これにより一方ではジェネレータベルト車の駆動トルクをボスに可撓的に伝達することができ、かつ他方ではジェネレータのベルト車をボスから一方向において遮断することができる。
【０００４】
一般的に、例えば内燃機関におけるジェネレータ、水ポンプ、空調コンプレッサ、ステアリング補助ポンプ又はこれに類したもののような二次ユニットを駆動するために、ベルト駆動装置が設けられている。内燃機関のクランク駆動装置の回転不整合に基づいて、高い負荷がベルト駆動装置から二次ユニットに伝達されることがある。このような負荷は、励起振幅の高さ、ベルト及びベルトテンショナの剛性もしくは強さ、並びに二次ユニットの慣性モーメントに関連しており、この場合発電機もしくはジェネレータの慣性モーメントは、全慣性モーメントのうちの比較的大きな配分を有している。従って、二次ユニットをベルト駆動装置から遮断することが必要である。
【０００５】
ゆえに本発明の課題は、冒頭に述べた形式の振動を減衰する装置を改良することである。
【０００６】
この課題は本発明の構成では例えば、車両の二次ユニットを駆動するための駆動車における振動を減衰する装置であって、ボスに支承された駆動車に減衰装置が設けられており、ボスが二次ユニットの駆動軸と結合されており、減衰装置として、摩擦クラッチと組み合わせられたトーション振動ダンパが設けられており、摩擦クラッチがボス側における少なくとも１つの摩擦面と、摩擦リング側における少なくとも１つの摩擦面とを有していて、これにより駆動車がトーション振動ダンパのダンパケージを介してボスと摩擦力結合式及び／又は形状結合式に連結されていて、その結果駆動車からダンパケージを介してボスへの振動減衰されたトルク伝達が行われる形式のものにおいて、摩擦リング側における摩擦面が皿ばねと支持円板との間に設けられており、皿ばねがダンパケージと結合され、かつ支持円板がボスと結合されているようにした。
【０００７】
実地において、公知の装置において使用されている摩擦クラッチは熱により高負荷されることが分かっている。このような熱による高負荷は、本発明による装置では、少なくとも摩擦リング側における摩擦接触部もしくは摩擦リング側の摩擦面を設けることによって阻止される。つまり摩擦リング側の摩擦面は、本発明による装置では皿ばねと支持円板との間に設けられている。皿ばねが摩擦リングとダンパケージとの間に配置されていることによって、本発明による装置では改善された熱の流れが可能になり、その結果、特に摩擦クラッチの摩擦面の領域における熱による過負荷は確実に回避される。
【０００８】
本発明の有利に名構成では、皿ばね及び支持円板が、高い熱伝導率を有する材料、例えば鋼又はこれに類したものから製造されている。このようになっていると、摩擦クラッチの摩擦面において発生した摩擦熱は軸方向において両側で、例えば鋼製の部材、つまり皿ばね及び支持円板によって、最適に吸収されかつ排出されることができる。これによって、公知の装置において設けられていた、通常プラスチック製のダンパケージによる断熱は、回避される。
【０００９】
さらに、ダンパケージに皿ばねが直接接触していることによって、公知の装置においてよく見られたダンパケージの屈曲を、有利に回避することができる。これによって皿ばねのばね力は付加的なてこ腕なしに、直に円錐体に導かれることができる。
【００１０】
本発明の別の構成では、皿ばねが、ダンパケージの内径部に設けられていて軸方向に突出している突子を介して回動不能に保持されている。これに対して、支持円板は、かしめ又は歯列を用いてボスと回動不能に結合されることができる。皿ばね及び支持円板をそれぞれ回動不能に配置するためには、構造的に異なった他の構成も可能である。個々の部材を軸方向において固定するための手段として、摩擦リングが支持円板によって軸方向で緊締されるような構成も可能である。
【００１１】
本発明の有利な構成では、ダンパケージが駆動車と一緒に、円弧ばねダンパとして形成されたトーション振動ダンパの円弧ばねのための受容領域を形成している。本発明の有利な構成ではまた、円弧ばねダンパの円弧ばねの回転角が、対応するストッパによって制限されている。そしてこれらの対応するストッパは有利にはベルト車とダンパケージとの間に設けられている。
【００１２】
上に述べた装置の構成は、以下に記載の構成のうちの少なくとも１つと組み合わせることも可能である。
【００１３】
前記課題を解決するために本発明の別の構成では、車両の二次ユニットを駆動するための駆動車における振動を減衰する装置であって、ボスに支承された駆動車に減衰装置が設けられており、ボスが二次ユニットの駆動軸と結合されており、減衰装置が、摩擦クラッチと組み合わせられており、その結果駆動車からボスへの振動減衰されたトルク伝達が行われる形式のものにおいて、減衰装置が、駆動車とボスとの間におけるトルク伝達時に所定の減衰能力を得るために複数のトーション振動ダンパを有している。
【００１４】
本発明によるこの構成は、既に述べた構成と組み合わせられて構成されても、又はそれらの構成とは無関係に独立して構成されてもよい。
【００１５】
この別の装置によって、使用されるトーション振動ダンパのダンパばね強さを所望のエンジン使用状態に合わせることができる。このことは特に、トーション振動ダンパの回転角を種々様々なトーション振動ダンパの相応な組合せによって変化させることにより、達成することができる。
【００１６】
本発明の特に有利な構成では、少なくとも２つのトーション振動ダンパが、駆動車とボスとの間において直列に配置されている。また例えば、少なくとも２つのトーション振動ダンパを、駆動車とボスとの間において並列に配置することも可能である。さらにまた、個々のトーション振動ダンパを直列及び並列に配置するような、トーション振動ダンパの別の配置形式も可能である。
【００１７】
特定のエンジン使用時においてトーション振動ダンパの直列配置形式には、著しく小さなダンパばね強さしか必要ないという利点のあることが分かっている。つまりトーション振動ダンパの直列配置形式によってばね強さを例えば半分にすることができる。
【００１８】
トーション振動ダンパの直列配置形式の構成は例えば、それぞれのトーション振動ダンパのばねエレメントを受容できるようにするために、軸線方向で相前後して配置された２つのダンパケージ又はこれに類したものが設けられていることによって、実現することができる。トーション振動ダンパとしては円弧ばねダンパが使用されると有利である。しかしながらまた、他のトーション振動ダンパを使用することも可能である。
【００１９】
軸方向において相前後して配置されたダンパケージは、円弧ばねダンパの各円弧ばねのための受容領域を形成しており、この場合各円弧ばねダンパの円弧ばねの回転角は、ストッパによって制限されている。円弧ばねダンパの直列接続によって、最大回転角は、個々の円弧ばねダンパの両回転角の加算によって２倍になる。従って、使用される円弧ばねダンパの数を変えることによって、総回転角を所定の使用例に合わせることが可能である。
【００２０】
トーション振動ダンパもしくは円弧ばねダンパ又はこれに類したものが使用されるか否かとは無関係に、本発明による装置はダンパケージを用いて、駆動車からボスへの摩擦力結合式のトルク伝達時に振動振幅を吸収するために、駆動車の少なくとも１つの回転方向において作用する摩擦クラッチエレメントを実現することができる。この場合設けられているダンパケージは軸方向で、少なくとも１つの第１の摩擦面を介してボスに、摩擦力結合式のトルク伝達のために押し付けられる。例えば第１の摩擦面は摩擦力結合式のトルク伝達のために円錐面又はこれに類したものとして形成されている。しかしながらまた、摩擦面を形状結合式のトルク伝達のために軸方向に歯列を備えた面として形成することも可能である。
【００２１】
本発明による装置を軸方向においてシールするために、シール部材としてカバーキャップが、少なくとも支持円板の側に設けられていることができる。
【００２２】
前記課題を解決するために本発明の別の構成では、車両の二次ユニットを駆動するための駆動車における振動を減衰する装置であって、ボスに支承された駆動車に減衰装置が設けられており、ボスが二次ユニットの駆動軸と結合されており、減衰装置がトーション振動ダンパを有しており、その結果駆動車からボスへの振動減衰されたトルク伝達が行われる形式のものにおいて、駆動車とボスとにそれぞれ対応する固定ストッパ又はこれに類したものが設けられていて、該固定ストッパがトーション振動ダンパの回転角を制限するようになっている。これらの固定ストッパはまた特性線ストッパとも呼ばれ、高いエンジン始動モーメントを伝達するために特に適している。
【００２３】
この別の構成は、上に述べたその他の構成と少なくとも部分的に組み合わせることも、独立して使用することもできる。
【００２４】
特に、いわゆるハイブリッド系におけるスタータジェネレータでは、ジェネレータ運転時に比較的低い駆動モーメントが必要であり、これに対して内燃機関の始動時、つまりエンジン運転時においては、著しく大きなトルクを伝達する必要のあることがある。特にこのような使用例では、摩擦クラッチの代わりに中実な固定ストッパを本発明による装置において使用すると有利である。
【００２５】
本発明の有利な構成では、ベルト車又はこれに類したものとして形成された駆動車が、第１のダンパケージ半部を有していて、該第１のダンパケージ半部が第２のダンパケージ半部と共に、例えば円弧ばねダンパとして形成されたトーション振動ダンパの円弧ばね用のつまりばねアキュムレータ用の受容室を形成している。
【００２６】
第１のダンパケージ半部がベルト車にプレス嵌めされていると有利である。第１のダンパケージ半部とベルト車との間における形状結合式の結合を実現するために、本発明の別の構成では、第１のダンパケージ半部がその外径部に複数の一体成形部又はこれに類したものを有しており、これらの一体成形部が、ベルト車の固定ストッパの間における切欠きに形状結合式に係合している。また、第２のダンパケージ半部が例えば内歯列を有していて、該内歯列が外歯列又はこれに類したものを用いてボスと連結されているような構成も可能である。このように構成されていることによって、第１のダンパケージ半部とベルト車との間における回動不能な結合部が得られる。
【００２７】
第２のダンパケージ半部とボスとの間における回動不能な結合部として、本発明の別の構成では、第２のダンパケージ半部が中間歯列を介してボスと形状結合式に連結されている。
【００２８】
本発明の別の構成では、軸方向で見て第１のダンパケージ半部と第２のダンパケージ半部との間に、スペーサ円板又はこれに類したものが設けられている。これによってスペーサ円板は、例えばプラスチックから製造されている両ダンパケージ半部の間における直接的な接触を阻止する。スペーサ円板は有利には鋼から製造されているので、プラスチック同士の摩擦接触が回避される。
【００２９】
軸方向における固定のために本発明による装置では、例えば、両ハウジング半部同士もしくはダンパケージ半部同士を互いに押し付ける支持円板及び／又は固定リングが設けられている。軸方向におけるシールのために、装置の各側にはカバーキャップ又はこれに類したものを設けることができる。
【００３０】
ボス及びベルト車における対応する固定ストッパによって、内燃機関の始動モーメントはこれらのストッパを介して直に伝達されることになる。装置のこの構成は、既に述べた構成と組み合わせることができる。しかしながらまた、前記構成は別個に使用することも可能である。
【００３１】
本発明の課題はまた、既に述べた構成において、代わりに少なくとも１つの摩擦減衰装置が設けられている装置によっても、解決される。このように構成されていると、固定ストッパを備えた前記構成がさらに改善されて、装置におけるベルトの軋み音及び不都合な共振もしくは共鳴を、付加的な摩擦減衰装置によって阻止することができる。
【００３２】
本発明による装置の別の有利な構成では、摩擦減衰装置が皿ばね又はこれに類したものであり、該皿ばねのばね力が一方では支持円板にかつ他方では第２のダンパケージ半部に支持されるもしくはそれぞれに作用するようになっている。これによって、ベルト車とボスとの間における摩擦減衰のために少なくとも２つの摩擦面が得られる。この場合特に、第１の摩擦面が第１のダンパケージ半部とボスとの間に形成されていて、第２の摩擦面がスペーサ円板と、両ダンパケージ半部のうちの少なくとも１つとの間に設けられている。このように構成されていると、装置の付加的な摩擦減衰を、皿ばね力を介して相応に調節することができる。
【００３３】
本発明による装置の上に述べた構成は、有利には次の構成、すなわち固定ストッパがベルト車とボスとの間において振動減衰されたトルク伝達のために使用される構成と、組み合わせられることができる。しかしながらまた、既に述べた装置の別の構成との別の組合せも可能である。
【００３４】
有利には上に述べた構成とは無関係に、トーション振動ダンパとして、付加的な潤滑剤なしに働く円弧ばねダンパを使用することも可能である。さらに別の有利な構成では、駆動車が二次ユニットを駆動するためのベルト車として形成されていて、例えば滑り軸受又はころがり軸受を介して、ボスに回転可能に支承されている。ばねエレメントもしくは円弧ばねの受容領域の内部における可能な限り小さな摩擦を実現するため、ひいては可能限り長い耐用寿命を実現するために、本発明の別の構成では、受容領域をそれぞれ形成するダンパケージ半部又はこれに類したものが、繊維補強されたプラスチックから製造されている。繊維補強されたプラスチックは有利には乾燥潤滑剤又はこれに類したものを有している。このように構成されていると、付加的な潤滑剤は不要になる。本発明による装置の最適なシールを達成するために、本発明の有利な構成では、シールエレメントとして間隙パッキン又はラビリンスパッキンが、ストッパの領域に設けられている。
【００３５】
次に図面を参照しながら本発明の実施例を説明する。
【００３６】
図１は、駆動車における振動を減衰する装置の第１実施例を示す断面図であり、
図２は、本発明による装置を図１のＡ−Ａ線に沿って断面した図であり、
図３は、図１に示された本発明による装置の分解図であり、
図４は、本発明による装置の第１実施例の機能を示す概略図であり、
図５は、本発明による装置の第１実施例による特性線を、伝達されるトルクを縦軸にかつ回転角を横軸にとって示す線図であり、
図６は、図１に示された装置の一部を拡大して摩擦クラッチの摩擦面を示す断面図であり、
図７は、駆動車における振動を減衰する装置の第２実施例を示す断面図であり、
図８は、本発明による装置を図７のＢ−Ｂ線に沿って断面した図であり、
図９は、本発明による装置の第２実施例を示す分解図であり、
図１０は、本発明による装置の第２実施例の機能を示す概略図であり、
図１１は、本発明による装置の第２実施例による特性線を、伝達されるトルクを縦軸にかつ回転角を横軸にとって示す線図であり、
図１２は、図７に示された装置の一部を拡大して装置の各摩擦面を示す断面図であり、
図１３は、駆動車における振動を減衰する装置の第３実施例を示す断面図であり、
図１４は、本発明による装置の第３実施例を図１３のＣ−Ｃ線に沿って断面した図であり、
図１５は、本発明による装置の第３実施例を示す分解図であり、
図１６は、本発明による装置の第３実施例の機能を示す概略図であり、
図１７は、本発明による装置の第３実施例による特性線を、伝達されるトルクを縦軸にかつ回転角を横軸にとって示す線図であり、
図１８は、固定ストッパを備えた装置の第３実施例の一部を拡大して示す断面図であり、
図１９は、本発明による装置の第３実施例を示す別の断面図であり、
図２０は、本発明による装置の第３実施例を図１９のＤ−Ｄ線に沿って断面した図であり、
図２１は、本発明による装置の第３実施例を示す別の断面図であり、
図２２は、本発明による装置の第３実施例を図２１のＥ−Ｅ線に沿って断面した図であり、
図２３は、駆動車における振動を減衰する装置の第４実施例を示す断面図であり、
図２４は、本発明による装置の第４実施例を図２３のＦ−Ｆ線に沿って断面した図であり、
図２５は、本発明による装置の第４実施例を示す分解図であり、
図２６は、本発明による装置の第４実施例の機能を示す概略図であり、
図２７は、本発明による装置の第４実施例による特性線を、伝達されるトルクを縦軸にかつ回転角を横軸にとって示す線図であり
図２８は、本発明による装置の第４実施例の一部を拡大して摩擦面を示す断面図である。
【００３７】
図１〜図２８には、減衰装置を用いて車両の二次ユニット（図示せず）を駆動するための駆動車における振動を減衰する本発明による装置の異なった４つの実施形態が示されている。
【００３８】
図１〜図６には本発明による装置の第１実施例が示され、図７〜図１２には第２実施例が示され、図１３〜図２２には第３実施例が示され、図２３〜図２８には第４実施例が示されている。図示の実施例では、駆動車はベルト車２として形成されていて、ボス１に回転可能に支承されている。ボス１は、内燃機関のオルタネータ、ジェネレータ又はこれに類した装置として形成された二次ユニットの駆動軸１２と結合されている。
【００３９】
ボス１は有利には駆動軸１２に雌ねじ山を介して螺合されており、この場合締め付けモーメントは六角形孔又はその他の形状の歯列（例えば刻み目歯列）を用いて導入される。さらに図示の実施例ではトーション振動ダンパとして、潤滑剤なしに作動する円弧ばねダンパ（Bogenfederdaempfer）が有利に使用される。
【００４０】
図１に示された第１実施例では、減衰装置は円弧ばねダンパの他に摩擦クラッチをも有しており、この摩擦クラッチは円弧ばねダンパと組み合わせられている。円弧ばねダンパはダンパケージ４を有しており、ベルト車２とダンパケージ４とは、両者が一緒になって、円弧ばね３のための全周にわたって分配配置された複数の受容室を形成するように、互いに対応配置されている。円弧ばね３のための全周にわたって分配配置された受容領域は、ダンパケージ４及びベルト車２における対応するストッパＣによって画成されているので、これにより、予め規定された円弧ばねダンパの最大回転角αが決定される（図２参照）。
【００４１】
図３には本発明による装置の第１実施例が分解図で示されており、この分解図から第１実施例による装置の構造が明らかになる。二次ユニットの駆動軸１２と螺合されたボス１は、センタリングされたベルト車２を回転可能に受容しており、この場合ベルト車２は、内燃機関のクランク軸駆動装置との連結のために働く、ベルト又はこれに類した巻掛け伝動部材（Zugmittel）を備えている。軸方向においてダンパケージ４には皿ばね６が接続しており、この皿ばね６はダンパケージ４に回動不能に保持されている。このことを実現するために、ダンパケージ４の内径部には半径方向に突出する突子が配置されており、これらの突子は皿ばね６の内径部と係合している。ダンパケージ４における皿ばね６の内側接触はまた、ダンパケージ４が強く屈曲することを有利に阻止している。それというのは、皿ばね６のばね力はてこ腕なしに直に円錐部に導入されるからである。皿ばね６の、ダンパケージ４とは反対の側には、摩擦リング５が接触しており、この摩擦リング５は支持円板７によってダンパケージ４に押し付けられる。支持円板７はかしめによってボス１と回動不能に結合されている。外側の保護として、カバーキャップ９が支持円板７に設けられている。
【００４２】
図４には機能原理が概略図で示されている。この図４から明らかなように、ベルト車２は円弧ばねダンパの円弧ばね３を介して、選択された回転角αに関連してダンパケージ４と連結されており、この場合ダンパケージ４は摩擦クラッチエレメントとして滑り面Ａ１，Ａ２を介してボス１と、振動減衰されたトルク伝達のために連結されている。
【００４３】
図５には、本発明による装置の第１実施例におけるトルク伝達時の特性線が線図で示されている。この線図から分かるように、トルクは回転角に関連して、伝達される最大トルクが得られるまで、直線的に上昇する。
【００４４】
図６は、図１に示された装置の一部を拡大して示す断面図であり、この断面図から、特に本発明による装置における摩擦クラッチの機能が分かる。本発明による装置では摩擦リング側の摩擦接触は、摩擦リング５と支持円板７との間における摩擦面Ａ２によって形成される。これにより摩擦クラッチによって生じる摩擦熱は、両側において鋼部分によって受容もしくは吸収されることができる。それというのは、摩擦面Ａ２は、通常鋼製の部材、つまり皿ばね６と支持円板７との間に設けられているからである。このように構成されていると、十分な熱伝導を実現することができ、その結果熱による負荷を回避することができる。
【００４５】
摩擦面Ａ２の他にダンパケージ４は別の摩擦面Ａ１を介してボス１と摩擦力結合式（kraftschluessig）に結合されている。摩擦面Ａ１は例えば、図６に示されているように円錐面として形成されていてもよい。しかしながらまた、ダンパケージ４とボス１との間において、例えばラチェット原理（Ratschenprinzip）又はこれに類した形式で形状結合式（formschluessig）の結合も可能である。ダンパケージ４ｇが摩擦クラッチエレメントとして働くことができるようにするために、ダンパケージ４は摩擦面Ａ２を介してボス１に摩擦面Ａ１によって負荷される。これは特に皿ばね６によって実現される。このように構成されていると、所定の振幅（Schwingungsamplitude）時に、トルク伝達は過負荷摩擦クラッチによって時々減じられるもしくは中断され、その結果振動が二次ユニットに伝達されることはなくなる。
【００４６】
図７には、本発明による装置の第２実施例が示されている。この装置では、２つの円弧ばねダンパの直列接続によってダンパ能力を２倍にすることができる。このようなことは、１つにまとまったエンジン使用時には著しく小さなダンパばね強さが必要とされることに基づいて、必要である。本発明による装置によって、減じられた、例えば半分にされたばね強さを実現することができる。
【００４７】
第２実施例による装置は実質的に、第１実施例におけると同じ構成部材を有している。しかしながらダンパケージ４の領域において、両円弧ばねダンパの直列接続を可能にするために、変更が加えられている。そのためにボス１は軸方向において延長されていて、その結果、軸方向において相前後して配置された２つのダンパケージ４，１０を配置することが可能になる。この２つのダンパケージ４，１０によって２列の円弧ばね３ａ，ｂが、両ダンパケージ４，１０によって形成された受容室内に受容されることができる。個々のダンパケージ４，１０の間には、図８に示されているようにストッパＣ１，Ｃ２が設けられている。
【００４８】
対応するストッパＣ１はベルト車２とダンパケージ１０との間に設けられている。これに対して対応するストッパＣ２は、ダンパケージ１０とダンパケージ４との間に配置されている。これによってストッパＣ１，Ｃ２はそれぞれ、各円弧ばねダンパの最大回転角αを制限し、摩擦クラッチの滑り段階において生じる余剰トルクを受け止めることができる。
【００４９】
図９には、本発明による装置の第２実施例が分解図で示されている。既に第１実施例との関連において記載された部材の他に、この図９には付加的なダンパケージ１０と付加的な円弧ばね３ａとが示されている。この両方のダンパケージ４，１０を受容できるようにするために、ボス１は軸方向において延長されている。その他の構成に関しては、第１実施例についての記載を参照することができる。
【００５０】
本発明による装置の第２実施例の機能原理は図１０に示されている。この概略図から分かるように、ベルト車２とボス１との間には円弧ばね３ａ，３ｂを備えた２つの円弧ばねダンパが配置されており、その結果それぞれの最大回転角αは合算される。従って２つの同じ円弧ばねダンパが設けられている場合には、２倍の回転角（２α）が得られる。この第２実施例においても、両方の摩擦面Ａ１，Ａ２によって形成される１つの摩擦クラッチが形成されている。
【００５１】
図１１には本発明による装置の第２実施例によるトルク伝達時における特性線が、線図で示されている。この特性線はほぼ第１実施例の特性線に相当するが、この場合には回転角が第１実施例に比べて２倍に、つまり２αであるという相違がある。
【００５２】
拡大された断面図である図１２には、本発明による装置の第２実施例が示されている。この図１２には特に、ベルト車２とダンパケージ１０との間における対応するストッパＣ１と、両方のダンパケージ４，１０の間における対応するストッパＣ２とがはっきりと示されている。さらに、摩擦クラッチの第１の摩擦面Ａ１として、ダンパケージ４とボス１との間における円錐面が設けられている。第２の摩擦面Ａ２としては、図１に示された第１実施例におけるように、摩擦リング５と支持円板７もしくは皿ばね６との間における摩擦面Ａ２が設けられている。摩擦面Ａ１，Ａ２に関しては別の実施例も可能である。
【００５３】
図１３には、本発明による装置の第３実施例が示されている。この実施例は特に、高いエンジン始動モーメントを伝達するために適している。いわゆるハイブリッド系では汎用のオルタネータの代わりにスタータジェネレータが多く使用されるようになっている。このスタータジェネレータはジェネレータ運転時に、円弧ばねダンパの当接モーメントを介してカバーすることができるような比較的低い駆動モーメントしか必要としない。内燃機関の始動中には、しかしながらエンジン運転中に著しく高いトルクが円弧ばねダンパを介して伝達されねばならず、その結果例えば、上述の実施例において設けられていた摩擦クラッチの代わりに、しっかりした固定ストッパ又はこれに類したものが形成される。これによって、高いエンジン始動時モーメントを伝達するための特性線ストッパが実現される。
【００５４】
このような対応する固定ストッパは、装置の第３実施例においてＣ３で示されている。この場合対応するストッパＣ３は、例えば鋼製のボス１及び、同様に有利には鋼製のベルト車２ａに配置されている。対応するストッパＣ３は特に図１４に示されている。
【００５５】
さらにベルト車２は第１のダンパケージ半部４ａを有しており、この第１のダンパケージ半部４ａは第２のダンパケージ半部４ｂと一緒に、円弧ばねダンパの円弧ばね３を受容するための受容室を形成している。この場合第１のダンパケージ半部４ａはベルト車２内にプレス嵌めされており、その結果ばねモーメントが円弧ばね３に導入される。図１３に示された第３実施例では、ベルト車２は滑り軸受Ｂ３を介してボス１に支承されており、この滑り軸受Ｂ３も同様にベルト車２にプレス嵌めされている。
【００５６】
円弧ばね３に伝達されたモーメントは、第２のダンパケージ半部４ｂを介してボス１に伝達される。第２のダンパケージ半部４ｂは内歯列を有しており、この内歯列はボス１の外歯列と係合しているので、その結果第２のダンパケージ半部４ｂはボス１に回動不能に保持されている。両ダンパケージ半部４ａ，４ｂの間にはスペーサ円板１１が設けられている。
【００５７】
図１４から分かるように、対応するストッパＣ３によって、ベルト車２とボス１との間における回転角αが可能である。
【００５８】
図１５には、本発明による装置の第３実施例が分解図で示されている。既に述べた実施例とは異なり、この実施例では、第１のダンパケージ半部４ａと第２のダンパケージ半部４ｂとの間に、鋼製のスペーサ円板１１が設けられており、これによって両ダンパケージ半部４ａ，４ｂの間におけるプラスチック同士による摩擦接触を回避することができる。さらに軸方向固定のために支持円板７と固定リング８とが設けられており、この支持円板７及び固定リング８は、カバーキャップ９ａによって覆われ、この場合カバーキャップ９ａは、装置の対向して位置する側に対応するカバーキャップ９ｂを有しており、これによって装置を確実に汚れから守ることができる。
【００５９】
図１６には、本発明による装置の第３実施例の機能が概略図で示されており、この概略図から分かるように、ボス１とベルト車２との間には摩擦クラッチは設けられていない。減衰装置としては単に、相応な最大回転角αを有する円弧ばね３を備えた１つの円弧ばねダンパが設けられている。図１６の概略図によって生ぜしめられるトルク伝達のための相応な特性線は、図１７において線図で示されている。この線図ではトルクが回転角にわたって示されており、線図から分かるように、最大回転角αが得られた後では、伝達されるトルクは制限されない。
【００６０】
図１８は、第３実施例を拡大して示す断面図であり、この図１８にも、ボス１とベルト車２との間における対応する固定ストッパＣ３が示されている。
【００６１】
図１９には、装置の第３実施例が別の断面図で示されており、この断面図から、ベルト車２から第１のダンパケージ半部４ａへのモーメント伝達が明らかである。そのために図２０には、図１９のＤ−Ｄ線に沿った断面図が示されている。この図２０から分かるようにベルト車２と、このベルト車２にプレス嵌めされた第１のダンパケージ半部４ａとの間には形状結合部（Formschluss）が形成されている。そのために第１のダンパケージ半部４ａは半径方向に一体成形部Ｅを有しており、この一体成形部Ｅは、ベルト車２のストッパＣ３の間における切欠きに形状結合式（formschluessig）にプレス嵌めされている。これによって第１のダンパケージ半部４ａはベルト車２に回動不能に固定されている。
【００６２】
図２１には、装置の第３実施例が別の断面図で示されており、この断面図から、第２のダンパケージ半部４ｂからボス１へのモーメント伝達が明らかである。そのために図２２には、図２１のＥ−Ｅ線に沿った断面図が示されている。この図２２から分かるように、ダンパケージ半部４ｂとボス１との間においては中間歯列Ｆを介して形状結合部が形成されている。この形状結合式の結合によって、円弧ばね３のばねモーメントはボス１に伝達され、ひいてはさらに駆動軸１２に伝えられる。
【００６３】
図２３には、本発明による装置の第４実施例が断面図で示されている。装置のこの第４実施例では、装置の第３実施例とは異なり、摩擦減衰装置が設けられている。このような構成の理由は、特定の状況下では、対応する固定ストッパによって不都合な騒音及び不都合な共鳴もしくは共振の生じることがあるからである。従って、付加的な摩擦減衰装置を設けることには利点がある。
【００６４】
そのために、図２３に示されているように、皿ばね６が第２のダンパケージ半部４ｂに設けられており、これにより皿ばね６のばね力は一方では支持円板７に支持され、かつ他方では第２のダンパケージ半部４ｂに支持されることができる。このようにして両ダンパケージ半部４ａ，４ｂとスペーサ円板１１との間において摩擦面Ｄ２が得られる。さらにダンパケージ半部４ａはボス１に別の摩擦面Ｄ１を介して支持されている。これによって、付加的な摩擦減衰装置の摩擦減衰を、設けられている皿ばね６によって相応に生ぜしめることができる。
【００６５】
図２４には、図２３に示されたＦ−Ｆ線に沿った断面図が示されており、この断面図から、ベルト車２及びボス１における対応するストッパＣ３と、ストッパＣ３の間における最大回転角αとが分かる。
【００６６】
図２５に示された分解図は、図１５に示された装置の第３実施例の分解図にほぼ相当しているが、この第４実施例が異なっている点は、付加的に皿ばね６が支持円板７と第２のダンパケージ半部４ｂとの間に設けられていることである。
【００６７】
図２６には、装置の第４実施例の機能が概略図で示されており、この概略図から分かるように、円弧ばね３を備えた円弧ばねダンパの他に、ボス１とベルト車２との間には、摩擦面Ｄ１，Ｄ２を備えた摩擦減衰装置が設けられている。これにより、図２７に線図で示されているような装置の第４実施例の特性線が得られる。この特性線は、図１７に示された第３実施例の特性線と同じである。
【００６８】
図２８には、装置の第４実施例が拡大されて断面図で示されており、この断面図から、設けられている摩擦減衰装置の２つの摩擦面Ｄ１，Ｄ２が明らかである。その他の点については、図２３に対する記載を参照することができる。
【００６９】
すべての実施例において、ベルト車２として形成された駆動車は、有利には滑り軸受Ｂ３を介してボス１に回転可能に支承されていることができる。
【図面の簡単な説明】
【００７０】
【図１】駆動車における振動を減衰する装置の第１実施例を示す断面図である。
【図２】本発明による装置を図１のＡ−Ａ線に沿って断面した図である。
【図３】図１に示された本発明による装置の分解図である。
【図４】本発明による装置の第１実施例の機能を示す概略図である。
【図５】本発明による装置の第１実施例による特性線を、伝達されるトルクを縦軸にかつ回転角を横軸にとって示す線図である。
【図６】図１に示された装置の一部を拡大して摩擦クラッチの摩擦面を示す断面図である。
【図７】駆動車における振動を減衰する装置の第２実施例を示す断面図である。
【図８】本発明による装置を図７のＢ−Ｂ線に沿って断面した図である。
【図９】本発明による装置の第２実施例を示す分解図である。
【図１０】本発明による装置の第２実施例の機能を示す概略図である。
【図１１】本発明による装置の第２実施例による特性線を、伝達されるトルクを縦軸にかつ回転角を横軸にとって示す線図である。
【図１２】図７に示された装置の一部を拡大して装置の各摩擦面を示す断面図である。
【図１３】駆動車における振動を減衰する装置の第３実施例を示す断面図である。
【図１４】本発明による装置の第３実施例を図１３のＣ−Ｃ線に沿って断面した図である。
【図１５】本発明による装置の第３実施例を示す分解図である。
【図１６】本発明による装置の第３実施例の機能を示す概略図である。
【図１７】本発明による装置の第３実施例による特性線を、伝達されるトルクを縦軸にかつ回転角を横軸にとって示す線図である。
【図１８】固定ストッパを備えた装置の第３実施例の一部を拡大して示す断面図である。
【図１９】本発明による装置の第３実施例を示す別の断面図である。
【図２０】本発明による装置の第３実施例を図１９のＤ−Ｄ線に沿って断面した図である。
【図２１】本発明による装置の第３実施例を示す別の断面図である。
【図２２】本発明による装置の第３実施例を図２１のＥ−Ｅ線に沿って断面した図である。
【図２３】駆動車における振動を減衰する装置の第４実施例を示す断面図である。
【図２４】本発明による装置の第４実施例を図２３のＦ−Ｆ線に沿って断面した図である。
【図２５】本発明による装置の第４実施例を示す分解図である。
【図２６】本発明による装置の第４実施例の機能を示す概略図である。
【図２７】本発明による装置の第４実施例による特性線を、伝達されるトルクを縦軸にかつ回転角を横軸にとって示す線図である。
【図２８】本発明による装置の第４実施例の一部を拡大して摩擦面を示す断面図である。
【符号の説明】
【００７１】
１  ボス、  ２  駆動車、  ３，３ａ，３ｂ  円弧ばね、  ４  ダンパケージ、  ４ａ，４ｂ  ダンパケージ半部、  ５  摩擦リング、  ６  皿ばね、  ７  支持円板、  ８  固定リング、  ９，９ａ，９ｂ  カバーキャップ、  １０  ダンパケージ、  １１  スペーサ円板、  １２  駆動軸、  Ａ１  第１の摩擦面、  Ａ２  第２の摩擦面、  Ｂ３  すべり軸受、  Ｃ  対応するストッパ、  Ｃ１  対応するストッパ、  Ｃ２  対応するストッパ、  Ｃ３  対応する固定ストッパ、  Ｄ１  第１の摩擦面、  Ｄ２  第２の摩擦面、  Ｅ  一体成形部、  Ｆ  中間歯列、  α  最大回転角
【図１】
2009533610.tif 000002
【図２】
2009533610.tif 000003
【図３】
2009533610.tif 000004
【図４】
2009533610.tif 000005
【図５】
2009533610.tif 000006
【図６】
2009533610.tif 000007
【図７】
2009533610.tif 000008
【図８】
2009533610.tif 000009
【図９】
2009533610.tif 000010
【図１０】
2009533610.tif 000011
【図１１】
2009533610.tif 000012
【図１２】
2009533610.tif 000013
【図１３】
2009533610.tif 000014
【図１４】
2009533610.tif 000015
【図１５】
2009533610.tif 000016
【図１６】
2009533610.tif 000017
【図１７】
2009533610.tif 000018
【図１８】
2009533610.tif 000019
【図１９】
2009533610.tif 000020
【図２０】
2009533610.tif 000021
【図２１】
2009533610.tif 000022
【図２２】
2009533610.tif 000023
【図２３】
2009533610.tif 000024
【図２４】
2009533610.tif 000025
【図２５】
2009533610.tif 000026
【図２６】
2009533610.tif 000027
【図２７】
2009533610.tif 000028
【図２８】
2009533610.tif 000029
【国際調査報告】
2009533610.tif 000030
2009533610.tif 000031
2009533610.tif 000032
2009533610.tif 000033
2009533610.tif 000034
2009533610.tif 000035
2009533610.tif 000036
2009533610.tif 000037
2009533610.tif 000038
2009533610.tif 000039